(57)【要約】【課題】バックライトアセンブリの上部が反れないように、構造を変形した支持台を有するバックライトアセンブリを提供する。更に、構造を改善した支持台を有するバックライトアセンブリを含む表示装置を提供する。【解決手段】本発明は、改善された支持台を有するバックライトアセンブリ及びこれを備えた表示装置に関する。本発明によるバックライトアセンブリは、光を供給するランプ、そしてこれと共に配設されるベース基板と、この上に固定され光の射出方向に一定の厚さを有して延在する支持部を有する支持台を含む。ここで、支持部の上側は、ベース基板の長さ方向に湾曲し、バックライトアセンブリの上部と面接触し、バックライトアセンブリの上部を支持する。【選択図】図１
2006140160.tif 000002
【特許請求の範囲】
【請求項１】
光を供給するランプ、及び
前記ランプと共に配設されたベース基板と、前記ベース基板上に固定され、前記光の射出方向に一定の厚さを有して延在する支持部を含む支持台と、
を含むバックライトアセンブリであって、
前記支持部の上側は、前記ベース基板の長さ方向に及び／又は前記長さ方向と交差する幅方向に湾曲し、前記バックライトアセンブリの上部と面接触して、前記バックライトアセンブリの上部を支持するバックライトアセンブリ。
【請求項２】
前記支持部は、
前記バックライトアセンブリの上部を支持する湾曲部、
前記湾曲部の下端に連結され前記ベース基板側に延在する直線部、及び
前記直線部の下端に連結され前記ベース基板に連結固定された固定部、を含む、請求項１に記載のバックライトアセンブリ。
【請求項３】
前記湾曲部は、一対からなり、相互離隔して形成され、前記直線部は、一対からなり、相互離隔して形成される、請求項２に記載のバックライトアセンブリ。
【請求項４】
前記湾曲部の曲率半径は、１ｍｍ乃至１００ｍｍである、請求項３に記載のバックライトアセンブリ。
【請求項５】
前記一対の湾曲部は、相互反対方向に向けて湾曲された、請求項３に記載のバックライトアセンブリ。
【請求項６】
前記一対の直線部は、前記ベース基板と傾斜角をなして形成され、前記固定部から遠くなるほど次第に相互間の距離が大きくなる、請求項３に記載のバックライトアセンブリ。
【請求項７】
前記傾斜角は、６０°乃至１２０°である、請求項６に記載のバックライトアセンブリ。
【請求項８】
前記湾曲部の後面に補強板材を配設する、請求項２に記載のバックライトアセンブリ。
【請求項９】
前記バックライトアセンブリは、その上部に光学シート及び拡散板を備え、前記支持部が前記拡散板と接触している、請求項２に記載のバックライトアセンブリ。
【請求項１０】
前記支持台は、前記ベース基板上に前記支持部と離隔して形成され、前記ランプを固定するランプ固定部をさらに含む、請求項１に記載のバックライトアセンブリ。
【請求項１１】
前記ランプ固定部は、
前記ランプを挿入するために開けてある一対のランプ挿入部、及び
前記一対のランプ挿入部の両端を連結し、前記ランプの外周を囲んで支持するランプ支持部
を含む、請求項１０に記載のバックライトアセンブリ。
【請求項１２】
前記支持部は、
前記バックライトアセンブリの上部を支持し、離隔して形成されている一対の湾曲部、
前記一対の湾曲部の下端にそれぞれ連結され、相互間の距離が次第に狭くなりその下端で連結される一対の直線部、及び
前記一対の直線部の下端に連結され、前記ベース基板側にのびて固定された固定部
を含む、請求項１に記載のバックライトアセンブリ。
【請求項１３】
前記支持部は、
前記バックライトアセンブリの上部を支持し、離隔して形成される一対の湾曲部、及び
前記一対の湾曲部の下端に連結され、相互間の距離が順次に狭くなりその下端で連結され、前記ベース基板上に固定された一対の直線部
を含む、請求項１に記載のバックライトアセンブリ。
【請求項１４】
前記支持部は、
前記バックライトアセンブリの上部を支持する湾曲部、
前記湾曲部の下端に連結され前記ベース基板側に延在する第１直線部、
前記第１直線部の下端と連結され前記ベース基板に平行に延在する第２直線部、及び
前記第２直線部下部に連結され前記ベース基板に連結固定された固定部
を含む、請求項１に記載のバックライトアセンブリ。
【請求項１５】
前記支持部は、
前記バックライトアセンブリの上部を支持し、円形に形成されその一側が開口された湾曲部、及び
前記湾曲部下部に連結され前記ベース基板に連結固定された固定部
を含む、請求項１に記載のバックライトアセンブリ。
【請求項１６】
画像を表示する表示パネル、及び前記請求項１〜１５に記載のバックライトアセンブリを含む表示装置。
【請求項１７】
前記表示パネルは、液晶表示パネルである、請求項１６に記載の表示装置。
【発明の詳細な説明】
【技術分野】
【０００１】
本発明は、改善された支持台を有するバックライトアセンブリ及びこれを備えた表示装置に関する。
【背景技術】
【０００２】
近来、急速に進展している半導体技術をもとにして、小型化及び軽量化が実現され、性能が一層向上した液晶表示装置の需要が急激に増加している。
液晶表示装置（ＬＣＤ）は、小型化、軽量化及び低電力消費化などの長所を有し、既存のブラウン管（ＣＲＴ）の短所を克服できる代替手段として益々注目を受けている。また、現在、このような液晶表示装置は、ディスプレイ装置を必要とするほぼ全ての情報処理機器に装着され使用されている。
【０００３】
一般的な液晶表示装置では、液晶の特定分子配列に電圧を印加して別の分子配列に変換させる。そして、このような分子配列によって発光する液晶セルの複屈折性、旋光性、２色性及び光散乱特性などの光学的性質の変化を、視覚変化に変換する。このように液晶セルによる光の変調を利用して情報を表示する装置を、受光型ディスプレイ装置とも言う。
このような液晶表示装置は、需要者の要求に応じて大型製品である４２インチ以上のデジタルＴＶなどに適用されている。このように、液晶表示装置の大きさが次第に増加することによって、液晶表示装置の内部部品の大きさも大面積化している。例えば、液晶表示パネルに光を供給するために、液晶表示パネルの後面に位置するバックライトアセンブリの大きさが次第に大きくなる。これにより、バックライトアセンブリの上部に位置し、光輝度を向上させる光学シート及び拡散板の面積も次第に大きくなっている。
【発明の開示】
【発明が解決しようとする課題】
【０００４】
光学シート及び拡散板は、周縁を固定しバックライトアセンブリの内部に配設するが、光学シート及び拡散板の面積が次第に大きくなるにつれて、自然に中央部での反り現象が生じる。このような反り現象は、光輝度特性に悪い影響を及ぼすだけでなく、反りによる光特性の低下によって画像の鮮明度が低下する問題点がある。
このような問題点を解決するために、別途の支持台をバックライトアセンブリの底面に設けることによって、長く延在するランプを固定する。例えば、円錐形サポート（support）にてバックライトアセンブリを上部に支持して反りを防止している。円錐形サポートは、その尖端部によりバックライトアセンブリの上部を支持する。そのため、先端部にバックライトアセンブリの重量が集中し、パネル組立、品質テスト及びリワーク（rework）の際に、ポイント（point）模様のむらが発生する問題点がある。
【０００５】
なお、円錐形サポートの場合、全く弾性がないため、運搬などでバックライトアセンブリの内部部品が流動するとき、そこに円錐形サポートによる応力が加えられ圧迫する他、これにより、内部部品が破損したり、表面にスクラッチが発生する。
本発明は、前記した問題点を解決するために、反りを防止することが可能なバックライトアセンブリを提供することを目的とする。また、本発明の目的は、前述の反りを防止することが可能なバックライトアセンブリを有する表示装置を提供することを目的とする。
【課題を解決するための手段】
【０００６】
前記目的を達成するための本願第１発明によるバックライトアセンブリは、光を供給するランプ、そして、これと共に配設されたベース（base）基板とこの上に固定され光の射出方向に一定の厚さを有して延在する支持部を有する支持台を含む。ここで、支持部の上側は、ベース基板の長さ方向に湾曲しバックライトアセンブリの上部と面接触し、バックライトアセンブリの上部を支持する。
【０００７】
支持部の上部がバックライトアセンブリ７０の上部と面接触しているため、点接触に比べて接触面積が広い。そのため、バックライトアセンブリの上部を広い接触面積により効率的に支持できるメリットがある。また、バックライトアセンブリの運搬に際して、バックライトアセンブリ内の拡散板及び光学シートなどの内部部品が流動しても、支持部の上側が湾曲してバックライトアセンブリの上部を弾性支持するので、流動による衝撃を吸収することができる。このように、流動による衝撃が吸収されることで、バックライトアセンブリが損傷を受ける危険性は殆どない。このようなバックライトアセンブリを利用した表示装置の場合には、バックライトアセンブリの反りによる画像のむら等を防止することができるので、鮮明な画像を実現することができる
本願第２発明は、第１発明において、前記支持部は、バックライトアセンブリの上部を支持する湾曲部、湾曲部の下端に連結されベース基板側に延在する直線部、及び直線部の下端に連結され、ベース基板に連結固定される固定部を含むことができる。支持部が、湾曲部、直線部及び固定部からなり、構造上、堅固な支持が可能である他、耐久性が優れている。
【０００８】
本願第３発明は、第２発明において、湾曲部は、一対からなり相互離隔して形成され、直線部は、一対からなり相互離隔して形成され得る。このような構成により、バックライトアセンブリの上部を効率的に支持することができる。
本願第４発明は、第３発明において、湾曲部の曲率半径は、１ｍｍ乃至１００ｍｍであるのが好ましい。
【０００９】
本願第５発明は、第３発明において、一対の湾曲部は、相互反対方向に向けて湾曲し得る。一対の湾曲部は相互反対方向に湾曲することから、弾性力により効率的に反りを防止することができる。
本願第６発明は、第３発明において、一対の直線部は、ベース基板と傾斜角をなすように形成され、固定部から遠くなるほど次第に相互間の距離が大きくなることが好ましい。
【００１０】
本願第７発明は、第６発明において、傾斜角は６０°乃至１２０°であるのが好ましい。
本願第８発明は、第２発明において、湾曲部の後面に補強板材を取り付けることができる。支持部の湾曲部後面に補強板材を付着することによって、湾曲部の弾性力をより増加させて、バックライトアセンブリの上部を堅固に支持することができる。
【００１１】
本願第９発明は、第２発明において、バックライトアセンブリは、その上に光学シート及び拡散板を備え、支持部が拡散板と接触し得る。支持部により、バックライトアセンブリの上部に位置する拡散板と光学シートを支持することができる。
本願第１０発明は、第１発明において、支持台は、ベース基板上に支持部と離隔形成されランプを固定するランプ固定部をさらに含むことができる。ランプ固定部により長いランプを堅固に固定することで、外部衝撃によるランプの破損を防止する。
【００１２】
本願第１１発明は、第１０発明において、ランプ固定部は、ランプを挿入するための一対のランプ挿入部、及び一対のランプ挿入部の両端を連結して、ランプの外周を囲んで支持するランプ支持部を含むことができる。ランプ固定部は、ランプ挿入部及びランプ支持部を含むため、ランプをランプ固定部に容易に着脱することができる。
本願第１２発明は、第１発明において、別の支持部は、バックライトアセンブリの上部を支持し、離隔して形成される一対の湾曲部、一対の湾曲部の下端にそれぞれ連結され、相互間の距離が次第に狭くなりその下端で連結される一対の直線部、及び一対の直線部の下端に連結されベース基板側にのびて固定された固定部を含むことができる。その支持構造が堅く、耐久性が優れている。
【００１３】
本願第１３発明は、第１発明において、別の支持部は、バックライトアセンブリの上部を支持し、離隔して形成される一対の湾曲部、及び一対の湾曲部の下端に連結され、相互間の距離が次第に狭くなりその下端で連結されベース基板上に固定された一対の直線部を含むことができる。その構造が簡単で、かつ効率的に支持することができる。
本願第１４発明は、第１発明において、別の支持部は、バックライトアセンブリの上部を支持する湾曲部、湾曲部の下端に連結されベース基板側に延在する第１直線部、第１直線部の下端と連結されベース基板と平行に延在する第２直線部、及び第２直線部下部に連結されベース基板に連結固定された固定部を含むことができる。バックライトアセンブリの上部を効率的に支持することができる。
【００１４】
本願第１５発明は、第１発明において、別の支持部は、バックライトアセンブリの上部を支持し、円形に形成されその一側が開口された湾曲部、及び湾曲部下部に連結され、ベース基板に連結固定された固定部を含むことができる。円形に形成され、その一側が開口された湾曲部及び固定部を含むので、開口された部分を通じてバックライトアセンブリの上部を支持する湾曲部に弾性力が作用できる作動空間を確保することで、バックライトアセンブリの上部を堅固に支持することができる。
【００１５】
なお、本発明による更に他のバックライトアセンブリは、光を供給するランプ、ランプと共に配設されたベース基板とこの上に固定され光の射出方向に一定の厚さを有して延在する支持部を有する支持台を含む。支持部の上側は、ベース基板の幅方向に湾曲し、バックライトアセンブリの上部と面接触し、バックライトアセンブリの上部を支持する。
ここで、本発明による更に他のバックライトアセンブリにおいて、支持部は、バックライトアセンブリの上部を支持する湾曲部、湾曲部の下端に連結されベース基板側に延在する直線部、及び直線部の下端に連結されベース基板に連結固定される固定部を含むことができる。
【００１６】
本願第１６発明による表示装置は、画像を表示する表示パネル、及び本願第１発明〜１５発明に記載のバックライトアセンブリを含む。このバックライトアセンブリは、光を供給するランプ、及び前記ランプと共に配設されたベース基板と、前記ベース基板上に固定され、前記光の射出方向に一定の厚さを有して延在する支持部を含む支持台を含む。また、前記支持部の上側は、前記ベース基板の長さ方向に湾曲し、前記バックライトアセンブリの上部と面接触して、前記バックライトアセンブリの上部を支持する。バックライトアセンブリの上部に表示パネルが位置することで、荷重負担が大きくなる。しかし弾性力のある本発明の支持台を使用して、バックライトアセンブリの上部を支持することができるので、このような問題を根本的に解決することができる。
【００１７】
ここで、支持部は、バックライトアセンブリの上部を支持する湾曲部、湾曲部の下端に連結されベース基板側に延在する直線部、及び直線部の下端に連結されベース基板に連結固定された固定部を含むことができる。
本発明による表示装置において、湾曲部は、一対からなり、相互離隔して形成され、直線部は、一対からなり、相互離隔して形成できる。
【００１８】
本発明による表示装置において、一対の湾曲部は、相互反対方向に向けて湾曲し得る。
本発明による表示装置において、バックライトアセンブリは、その上部に光学シート及び拡散板を備え、支持部が拡散板と接触し得る。
本発明による表示装置において、一対の直線部は、ベース基板と傾斜角をなすように形成され、固定部から遠くなるほど次第に相互間の距離が大きくなり得る。
【００１９】
本発明による表示装置において、表示パネルは、液晶表示パネルであるのが好ましい。
【発明の効果】
【００２０】
バックライトアセンブリを利用した表示装置を製造することによって、鮮明な画像を実現することができる。このような表示装置に用いられる表示パネルとして液晶表示パネルが使用されており、汎用的に利用することができる。
【発明を実施するための最良の形態】
【００２１】
以下、図１乃至図１１を参照して本発明の実施例を説明する。このような本発明の実施例は、本発明を例示するためのもので、本発明がここに限定されるわけではない。
図１は本発明の第１実施例による表示装置１０の分解斜視図であって、主に大型TVなどに使用する液晶表示装置を示す。
図１に示される表示装置１０の構造は、本発明の例示に過ぎず、本発明がここに限定されるわけではない。したがって、他の構造の表示装置にも本発明を適用することができる。そして、図１で、表示パネルの一例として液晶表示パネル５０を示したが、本発明の例示に過ぎず、本発明がここに限定されるわけではない。したがって、別の形態の受光型表示パネルを使用することもできる。
【００２２】
図１に示される本発明の第１実施例による表示装置１０は、光を供給するバックライトアセンブリ７０と、光に対応して映像を表示する液晶表示パネルアセンブリ４０とを含む。液晶表示パネルアセンブリ４０は、液晶表示パネル５０、これと連結され駆動信号を供給する駆動ICパッケージ(driver IC package)４３、４４、及び印刷回路基板４１、４２を含む。バックライトアセンブリ７０は、モールドフレーム（mold frame）６２、光学シート７２、拡散板７４、ランプ７６、及びボトムシャーシ６４などが結合してなり、液晶表示パネル５０に光を供給する。
【００２３】
液晶表示パネル５０は、複数の薄膜トランジスタ（ＴＦＴ）からなるＴＦＴ基板５１とＴＦＴ基板５１上部に位置するカラーフィルター基板５３及びこれら基板の間に注入される液晶（図示せず）からなる。カラーフィルター基板５３の上部とＴＦＴ基板５１の下部には、偏光板（図３に図示）を付着して、液晶表示パネル５０を通過する光を偏光する。
ＴＦＴ基板５１は、マトリックス状の薄膜トランジスタが形成されている透明なガラス基板からなる。ＴＦＴのソース端子にはデータラインが連結され、ゲート端子にはゲートラインが連結されている。そして、ドレイン端子には導電性材質として透明なITO（indium tin oxide）からなる画素電極が形成されている。
【００２４】
前記液晶表示パネル５０のデータライン及びゲートラインに印刷回路基板４１、４２から電気的な信号を入力すれば、ＴＦＴのソース端子とゲート端子に電気的な信号が入力される。そして、これら電気的な信号の入力によってＴＦＴは、ターンオンまたはターンオフされ、画素形成に必要な電気的な信号がドレイン端子に出力される。
一方、ＴＦＴ基板５１に対向して、その上にカラーフィルター基板５３が配設されている。カラーフィルター基板５３は、光が通過して所定の色が発現する色画素であるＲＧＢ画素が薄膜工程によって形成される基板であって、全面にITOからなる共通電極が塗布されている。ＴＦＴのゲート端子及びソース端子に電源が印加され薄膜トランジスタがターンオンされれば、画素電極とカラーフィルター基板の共通電極との間には電界が形成される。このような電界によって、ＴＦＴ基板５１とカラーフィルター基板５３との間に注入された液晶の配列角が変化し、変化した配列角に従って光透過度が変わることで、所望の画素が得られる。
【００２５】
印刷回路基板４１、４２は、液晶表示パネル５０に付着された駆動ICパッケージ４３、４４を介して、液晶表示パネル５０の外部から受信した映像信号を、データラインとゲートラインに駆動信号として印加する。
印刷回路基板４１、４２は、表示装置１０を駆動するデータ信号、ゲート駆動信号、及びこれらの信号を適切な時期に印加するための複数の駆動信号を発生する。これらのゲート駆動信号及びデータ駆動信号を集積回路チップ（図示せず）が実装された駆動ICパッケージ４３、４４を介して、それぞれ液晶表示パネル５０のゲートライン及びデータラインに印加する。
【００２６】
液晶表示パネル５０の下部には、液晶表示パネルアセンブリ４０に均一な光を提供するバックライトアセンブリ７０が具備されている。バックライトアセンブリ７０は、ボトムシャーシ６４上に受納され固定されている。バックライトアセンブリ７０がボトムシャーシ６４上に所定距離を離隔して固定設置されるように、以下の構成が設けられている。複数配列されたランプ７６、ボトムシャーシ６４の底面に配設されランプ７６から供給される光を反射する反射シート７９、複数のランプ７６を両端で固定支持するフレームモールドサイド７８、そして、ランプ７６からの光輝度特性を確保し液晶表示パネル５０に光を提供する光学シート７２及び拡散板７４を有する。
【００２７】
図１の拡大した円で示す支持台１００は、ランプ７６と共にバックライトアセンブリ７０の内部に配設される。支持台１００は、ベース基板１０５及び支持部１０１を含む。支持部１０１は、ベース基板１０５上に固定され、バックライトアセンブリ７０のうち支持部１０１の上部に位置する拡散板７４及び光学シート７２を支持する。支持台１００は、ランプ固定部１０３をさらに含むことができる。ランプ固定部１０３は、ベース基板１０５上に支持部１０１と離隔して形成され、ランプ７６を固定する。ベース基板１０５の下部には、固定用突出部１０７（図３）が形成されて、ボトムシャーシ６４に挿入されるので、ベース基板１０５を堅固に固定することができる。図１の拡大円で示す支持台１００の形態は、本発明の例示に過ぎず、本発明がここに限定されるわけではない。よって、支持台を別の形態に変形することもできる。
【００２８】
図１で、拡大円で示されるように、支持部１０１は、一定の幅を有して光の射出方向であるZ軸方向に沿って延在する。このように一定の幅を有して形成されていることから、支持部１０１は、バックライトアセンブリ７０の上部と面接触する。そして、バックライトアセンブリ７０を弾力的に支持きるように、支持部１０１の上部はベース基板１０５の長さ方向に湾曲して形成される。特に、支持部１０１の上部がバックライトアセンブリ７０の上部と面接触しているため、点接触に比べて接触面積が広い。そのため、バックライトアセンブリ７０の上部を広い接触面積により効率的に支持できるメリットがある。また、バックライトアセンブリ７０の運搬に際して、バックライトアセンブリ７０内の拡散板７４及び光学シート７２などの内部部品が流動しても、支持部１０１の上側が湾曲してバックライトアセンブリ７０の上部を弾性支持するので、流動による衝撃を吸収することができる。このように、流動による衝撃が吸収されることで、バックライトアセンブリ７０の上部が損傷を受ける危険性は殆どない。支持部１０１の１対の湾曲部の開きは、ランプ７６の幅方向、つまりＹ方向に沿って形成されるので、バックライトアセンブリの上部にＹ軸方向の反り現象が発生することを防止する。また、図１に示すように、支持部１０１を、Ｘ方向に沿って１個以上設けることによって、バックライトアセンブリのＸ軸方向の反りを防止することができる。同様に、支持部１０１を、Ｙ方向に沿って１個以上設けることによって、バックライトアセンブリのＹ軸方向の反りを防止することができる。
【００２９】
ボトムシャーシ６４の背面には、電源供給用ＰＣＢであるインバータボード（inverter board）（図示せず）と、コントロールボード（図示せず）を設ける。インバータボードに実装されたインバータは、外部電源を一定の電圧レベルに変圧してランプ７６に提供し、コントロールボードは、前記印刷回路基板４２と接続してアナログデータ信号をデジタルデータ信号に変換した後、液晶表示パネル５０に供給する。
【００３０】
液晶表示パネルアセンブリ４０上には、 駆動ICパッケージ４４をモールドフレーム６２の外部に折り曲げ、液晶表示パネルアセンブリ４０がボトムシャーシ６４から離脱することを防止するためのトップシャーシ６０を備える。
図２は本発明の第１実施例による表示装置１０の結合斜視図であって、図１で示される表示装置１０の全ての内部部品を結合して図示したものである。
【００３１】
図２に示すように、TVなど大型表示装置の大型化に従って、ランプ７６の長さが長くなり、これに伴って他の内部部品の面積も大型化してしまう。よって、表示装置の特に中間部で発生する反りを防止するために、ランプ７６と共に支持台１００を配設する。支持台１００は、バックライトアセンブリ７０に一つ以上配設することができ、バックライトアセンブリ７０の中間地点に例えばジグザグに配列され、バックライトアセンブリが反れることを防止する。
【００３２】
図３は図２に示すＡ−Ａ線による断面図で、バックライトアセンブリ７０の内部に配設した支持台１００の作動状態を概略的に示したものである。
図３に示すように、バックライトアセンブリ７０の上部に光学シート７２及び拡散板７４を備える。光学シート７２の下部に拡散板７４が位置し、支持台１００にて拡散板７４を支持する。図３に示されるバックライトアセンブリ７０の上部構造は、本発明の例示に過ぎず、本発明がここに限定されるわけではない。これにより、光学シート７２及び拡散板７４以外の他の内部部品を配設して光の輝度を増加させ、支持台１００でそれを支持することができる。
【００３３】
図３の矢印で示すように、光学シート７２及び拡散板７４の面積が大きいので、重力によって中間部が下方に反れてしまう。この場合、支持台１００に具備された支持部１０１の上側が湾曲して形成され、矢印方向に弾力的に変形してスプリングのような役割をするので、光学シート７２及び拡散板７４の反りを効率的に防ぐことができる。具体的に、支持部１０１の１対の湾曲部がＹ方向に開きを有することにより、光学シート７２及び拡散板７４等のＹ方向の反りを防止することができる。このような構造により、支持部１０１は、表示装置１０の運搬のため拡散板７４が流動するときにも、緩衝作用をして、光学シート７２及び拡散板７４を弾力的に支持することができる。
【００３４】
図４は本発明の第１実施例による支持台１００の概略図で、支持台１００の形状を詳細に示したものである。
図４に示される支持台１００は、支持部１０１及びランプ固定部１０３を含む。更に、必要に応じてその他の部分を含むこともできる。また、図４では、ランプ固定部１０３が４個図示されているが、これは本発明の例示に過ぎず、本発明がここに限定されない。よって、ランプ固定部１０３の数を変更しても構わない。
【００３５】
支持部１０１は、その上部から順に連結された湾曲部１０１a、直線部１０１b及び固定部１０１cを含む。この他に、必要に応じて更に他の部分を含むこともできる。湾曲部１０１aの高さ（h1）、直線部１０１bの高さ（h2）及び固定部１０１cの高さ（h3）のうち、直線部１０１bの高さ（h2）が最も高い。
湾曲部１０１aは、支持部１０１の上側に位置し、湾曲して形成されバックライトアセンブリの上部を支持する役割をする。支持部１０１を樹脂材で形成されるので、湾曲部１０１aはある程度の弾性力があって曲がり易い。これにより、バックライトアセンブリの上部を効率的に支持することができる。湾曲部１０１aは、一対からなり、互いに相互離隔してY軸方向に沿って並んで形成されている。これにより、バックライトアセンブリにおけるＹ軸方向の反りを防止することができる。湾曲部１０１aは、所定の曲率を有し、相互反対方向に湾曲されており、その曲率半径は１ｍｍ乃至１００ｍｍであることが好ましい。湾曲部１０１aの曲率半径が１ｍｍ未満であるときには、形状製造が難しく、曲率半径が１００ｍｍを超えるときには、上部からの荷重に対して弾力性がなく、永久変形が発生する問題点がある。
【００３６】
直線部１０１bは、湾曲部１０１aの下端に連結され、支持台１００が配設されるベース基板１０５側に向けて直線形にのびている。直線部１０１bは、一対からなり、相互離隔して形成されるが、支持台１００が配設されるベース基板１０５と傾斜角（α）をなすように形成される。一対の直線部１０１bは、傾斜角（α）をなし、下部の固定部１０１cから遠くなるほど次第に相互間の距離が大きくなるように形成される。このような構造によって、支持部１０１は、全体的にＵ字状の形態を有する。ここで、直線部１０１bの傾斜角（α）は、６０゜乃至１２０゜であるのが好ましい。直線部１０１bの傾斜角（α）が６０゜未満であるときには、ランプから放出される光を遮断する役割をし、バックライトアセンブリや表示パネルに暗部が発生することがあり、直線部１０１bの傾斜角（α）が１２０°を超えるときには、変形時に支持部１０１が相互抵触して永久変形する可能性がある。直線部１０１bの傾斜角（α）が１２０°以下の鈍角であるときには、支持部１０１の上部は狭く、下部は広い構造を有するが、このような構造においても、支持台としての役割を充分行うことができる。
【００３７】
固定部１０１cは、一対の直線部１０１bの下端に連結され、ベース基板１０５に連結固定される。これで直線部１０１bを堅固に固定することができる。固定部１０１cは、ベース基板１０５と一体に形成され堅固に固定される。前記したような構造の支持部１０１を通じて、バックライトアセンブリの上部を弾力的に堅固に支持できるのみならず、湾曲部１０１aとバックライトアセンブリの上部との接触面積が広いため、流動するときにも応力が一点に集中することなく、均一に分布する長点がある。
【００３８】
一方、支持部１０１の隣に位置するランプ固定部１０３は、ランプ支持部１０３a及びランプ挿入部１０３bを含む。他にも必要に応じてその他の部分を含むことができる。
ランプをランプ固定部１０３を通じて固定する場合、一対のランプ挿入部１０３bを通じてランプを挿入した後、ランプ支持部１０３aに安着させる。このような方法でランプを堅固に支持することによって反りを防止するだけでなく、外部衝撃を緩和することもできる。
【００３９】
ここで、一対のランプ挿入部１０３aは、ランプを挿入するために開きを有するように形成されている。ランプ支持部１０３bは、一対のランプ挿入部１０３aの両端を連結し、ランプの外周を包み込むように支持する。このようなランプ固定部１０３の構造によって、ランプの着脱が容易になるほか、ランプを堅固に固定支持することができる。
以下、図５乃至図１１を通じて、本発明の第２実施例乃至第８実施例について説明する。このような本発明のさらに別の変形例は、本発明の例示に過ぎず、本発明はここに限定されない。よって、さらに他の形態に本発明を変形することができる。以下で説明する本発明の第２実施例乃至第８実施例による支持台において、支持部の構造を除くその他の構造は本発明の第１実施例と同じである。したがって、本発明の第１実施例と同じ部分には同一図面符号を付し、便宜上その詳細な説明を省略する。
【００４０】
図５は本発明の第２実施例による支持台２００の動作を示す斜視図であって、ランプ７６と結合された支持台２００を示す。
図５に示される本発明の第２実施例による支持台２００において、支持部２０１に具備された一対の湾曲部２０１aの後面にそれぞれ一対の補強板材２０１１を付着する。補強板材２０１１を湾曲部２０１aの後面に付着することによって、湾曲部２０１aが著しく折れ曲がることを防止することができ、これにより、湾曲部２０１aの弾性力を容易に保持ができるメリットがある。その結果、バックライトアセンブリ上部の反りも容易に防止することができる。
【００４１】
図６は本発明の第３実施例による支持台３００の動作を示す斜視図であって、ランプ７６と結合された支持台３００を示す。
図６に示される本発明の第３実施例による支持台３００において、支持部３０１の上側は、ベース基板１０５の幅方向であるX軸方向に沿って形成される。これにより、Ｘ軸方向に沿って形成されるバックライトアセンブリの反りを防止できる。特に、バックライトアセンブリは、一対の長辺及び一対の短辺を有しているおり、長辺と平行なＸ軸方向に沿って複数のランプ７６を配設することが多い。そのため、バックライトアセンブリの反りは、Ｘ軸方向の多く発生する。ここで、図６に示すように、支持部３０１の１対の湾曲部のそれぞれは、Ｘ軸方向に開きを有するように形成されている。この支持部３０１により、バックライトアセンブリのＸ軸方向の反りを効率的に防止することができる。よって、本発明の第３実施例による支持台３００を利用することで、反り現象を根本的に防止することができる。図６に示されていないが、ランプの長さ方向及び幅方向にそれぞれ一対の支持部を同時に形成することによって、花模様の支持部を形成することもできる。つまり、支持部は２対の湾曲部を有しており、１対の湾曲部のそれぞれはＸ軸方向に開きを有し、別の１対の湾曲部のそれぞれはＹ軸方向に開きを有するように形成されている。このような支持部は、バックライトアセンブリの上部が全ての方向、つまりX軸方向及びY軸方向に反ることを防止することができる。
【００４２】
図７は本発明の第４実施例による支持台４００の動作を示す斜視図であって、ランプ７６と結合された支持台４００を示す。
ここで、支持台４００に具備された支持部４０１は、Y字状であり、上部から順に一対の湾曲部４０１a、一対の直線部４０１b、及び固定部４０１cを有する。この他に、必要に応じて別の部分を含むこともできる。一対の湾曲部４０１aは、バックライトアセンブリの上部を支持するように湾曲され、相互離隔して形成されている。一対の直線部４０１bは、一対の湾曲部４０１aの下端にそれぞれ連結され、相互間の距離が次第に狭くなりその下端で連結される。また、固定部４０１cは、一対の直線部４０１bの下端に連結され、ベース基板１０５側にのびて固定される。このように、固定部４０１cがZ軸方向に長くのびて、ここから一対の直線部４０１bが分岐する構造を有するので、支持部４０１にてバックライトアセンブリの上部をより堅固に支持することができる。
【００４３】
図８は本発明の第５実施例による支持台５００の動作を示す斜視図であって、ランプ７６と結合された支持台５００を示す。
本発明の第５実施例による支持台５００に具備された支持部５０１は、V字状であり、上部から順に一対の湾曲部５０１aと一対の直線部５０１bを含む。この他に、必要に応じて別の部分を含むこともできる。一対の湾曲部５０１aは、バックライトアセンブリの上部を支持し、一対の直線部５０１bは、一対の湾曲部５０１aの下端にそれぞれ連結され、相互間の距離が次第に狭くなりその下端で連結され、ベース基板１０５上に連結固定される。
【００４４】
図９は本発明の第６実施例による支持台６００の動作を示す斜視図であって、ランプ７６と結合された支持台６００を示す。
本発明の第６実施例による支持台６００に具備された支持部６０１は、一字状であり、本発明の第１実施例による支持台１００（図１）をZ軸方向に半分したものと同様である。比較的に小型である表示装置の場合、このように支持部６０１の大きさを小型化するで、画面表示の際に表示装置外部から見たときその輪郭が現れ難い。支持部６０１は、弾性力のある湾曲部６０１aを含むので、バックライトアセンブリ上部を効率的に支持することができる。
【００４５】
図１０は本発明の第７実施例による支持台７００の動作を示す斜視図であって、ランプ７６と結合された支持台７００を示す。
図１０に示される支持台７００に具備された支持部７０１は、Ｌ字状であり、湾曲部７０１a、第１直線部７０１b、第２直線部７０１c及び固定部７０１dを含む。この他に、必要に応じて別の部分を含むこともできる。湾曲部７０１aは、バックライトアセンブリの上部を支持する役割をし、第１直線部７０１bは、湾曲部７０１aの下端に連結されベース基板１０５側の方向であるZ軸方向にのびている。第２直線部７０１cは、第１直線部７０１bの下端と連結されY軸方向にベース基板１０５に平行にのびている。固定部７０１dは、第２直線部７０１cの下部に連結されベース基板１０５に連結固定される。このような形態で支持部７０１を形成して、バックライトアセンブリの上部を堅固に支持する。
【００４６】
図１１は本発明の第８実施例による支持台８００の動作を示す斜視図であって、ランプ７６と結合された支持台８００を示す。
図１１に示される支持台８００に具備された支持部８０１は、C字状であり、支持部８０１は湾曲部８０１a及び固定部８０１cを含む。この他に、必要に応じて別の部分を含むこともできる。
【００４７】
湾曲部８０１aは、弾性力を有してバックライトアセンブリの上部を支持する。湾曲部８０１aを円形に形成し、その一側がY軸方向に開口するようにする。湾曲部８０１aの上部から衝撃が加えられても、その一側が開口されていて、外部からの衝撃が緩和される。これにより、外部から加わる衝撃にも充分に耐えることができる。固定部８０１cは、湾曲部８０１a下部に連結されベース基板１０５に連結固定される。これにより、バックライトアセンブリの上部を堅固に支持することができる。
【００４８】
前記バックライトアセンブリを表示パネルに結合して、表示装置として用いることもできる。このとき、バックライトアセンブリの上部に表示パネルが位置することで、荷重負担が大きくなる。ところが、弾性力のある本発明の支持台を使用して、バックライトアセンブリの上部を支持することができるので、このような問題を根本的に解決することができる。
【００４９】
本発明によるバックライトアセンブリに含まれた支持台の支持部は、その上側が湾曲しバックライトアセンブリの上部と面接触しており、弾性力を有してバックライトアセンブリの上部を効率的に支持することができるのみならず、バックライトアセンブリの流動するときにも応力が大きく作用せず、均一に分布するメリットがある。
更に、支持部は、湾曲部、直線部及び固定部からなり、構造上、堅固な支持が可能である他、耐久性が優れている。
【００５０】
前記湾曲部及び直線部は、それぞれ一対が相互離隔して形成され、バックライトアセンブリの上部を効率的に支持することができる。ここで、湾曲部の曲率半径は、１ｍｍ乃至１００ｍｍであり、バックライトアセンブリの上部支持に効率的である。
また、一対の湾曲部は、相互反対方向に向けて湾曲し、弾性力を加えることで効率的に反りを防止することができる。
【００５１】
一対の直線部は、ベース基板と傾斜角をなして形成され、構造上、バックライトアセンブリの上部を効率的に支持することができる。ここで、傾斜角は、６０°乃至１２０°であり、支持に適している。
そして、支持部の湾曲部後面に補強板材を付着することによって、湾曲部の弾性力をより増加させて、バックライトアセンブリの上部を堅固に支持することができる。
【００５２】
特に、本発明による支持部は、バックライトアセンブリの上部に位置する拡散板と光学シートを支持するのに適している。
支持台は、ランプ固定部をさらに含み、長さの長いランプを固定してランプを堅固に固定することで、外部衝撃によるランプの破損を防止する。
ランプ固定部は、ランプ挿入部及びランプ支持部を含み、ランプをランプ固定部に容易に着脱することができる。
【００５３】
支持部は、一対の湾曲部、湾曲部の下端に連結された一対の直線部、及び直線部の下端に連結されベース基板側にのびて固定された固定部を含むので、その支持構造が堅く、耐久性が優れている。
また別の支持部は、一対の湾曲部及びここから連結されベース基板上に固定される一対の直線部を含むので、その構造が簡単で、かつ効率的に支持することができる。
【００５４】
また別の支持部は、湾曲部、第１直線部、第１直線部と角度を有して連結された第２直線部、及び固定部を含むので、バックライトアセンブリの上部を効率的に支持することができる。
また別の支持部は、円形に形成され、その一側が開口された湾曲部及び固定部を含むので、開口された部分を通じてバックライトアセンブリの上部を支持する湾曲部に弾性力が作用できる作動空間を確保することで、バックライトアセンブリの上部を堅固に支持することができる。
【００５５】
前記のようなバックライトアセンブリを利用した表示装置を製造することによって、鮮明な画像を実現することができる。
このような表示装置に用いられる表示パネルとして液晶表示パネルが使用されており、汎用的に利用できるメリットがある。
本発明について詳細に説明したが、特許請求の範囲の概念と範囲を逸脱しない限り、様々な修正及び変形が可能であることは本発明の属する技術分野に属する者であれば容易に理解できることである。
【図面の簡単な説明】
【００５６】
【図１】本発明の第１実施例による表示装置の分解斜視図である。
【図２】本発明の第１実施例による表示装置の結合斜視図である。
【図３】図２に示すＡＡ線による断面図である。
【図４】本発明の第１実施例による支持台の概略的な図面である。
【図５】本発明の第２実施例による支持台の動作を示す斜視図である。
【図６】本発明の第３実施例による支持台の動作を示す斜視図である。
【図７】本発明の第４実施例による支持台の動作を示す斜視図である。
【図８】本発明の第５実施例による支持台の動作を示す斜視図である。
【図９】本発明の第６実施例による支持台の動作を示す斜視図である。
【図１０】本発明の第７実施例による支持台の動作を示す斜視図である。
【図１１】本発明の第８実施例による支持台の動作を示す斜視図である。
【符号の説明】
【００５７】
１０  表示装置
４０  液晶表示パネルアセンブリ
４３、４４   駆動ＩＣパッケージ
４１、４２  印刷回路基板
５０  液晶表示パネル
５１  ＴＦＴ基板
５３  カラーフィルター基板
７０  バックライトアセンブリ
１００、２００、３００、４００、５００、６００、７００、８００  支持台
１０１、２０１、３０１、４０１、５０１、６０１、７０１、８０１  支持部
１０３  ランプ固定部
１０３a  ランプ支持部
１０３b  ランプ挿入部
１０５  ベース基板
【図１】
2006140160.tif 000003
【図２】
2006140160.tif 000004
【図３】
2006140160.tif 000005
【図４】
2006140160.tif 000006
【図５】
2006140160.tif 000007
【図６】
2006140160.tif 000008
【図７】
2006140160.tif 000009
【図８】
2006140160.tif 000010
【図９】
2006140160.tif 000011
【図１０】
2006140160.tif 000012
【図１１】
2006140160.tif 000013